(57)【要約】【課題】電線接続時等の作業効率を向上させることができる端子台装置を得る。【解決手段】基台２と、この基台に絶縁保持され一端部側に端子座部４１が形成され、他端部側４２が所定部に伸びる導電部材４と、配線の端子部３ａを前記端子座部に締付けることで該配線との電気的な接続を図る係止部材５を備えた端子台装置１であって、前記導電部材には前記端子座部と前記他端部側との間に断路部４３が設けられ、前記基台には前記係止部材の締付け方向への移動に従動されて前記断路部を導通するように支持された接触部材６を備えるようにした。【選択図】図２
2014157696.tif 000002
【特許請求の範囲】
【請求項１】
基台と、この基台に絶縁保持され一端部側に端子座部が形成され、他端部側が所定部に伸びる導電部材と、配線の端子部を前記端子座部に締付けることで該配線との電気的な接続を図る係止部材を備えた端子台装置であって、前記導電部材には前記端子座部と前記他端部側との間に断路部が設けられ、前記基台には前記係止部材の締付け方向への移動に従動されて前記断路部を導通するように支持された接触部材を備えたことを特徴とする端子台装置。
【請求項２】
前記接触部材は、前記係止部材に係合して前記締付け方向に移動可能に前記基台に保持された移動子と、この移動子における前記断路部との対向部に設けられた該断路部を導通するための断路部導通部材からなり、前記移動子を前記断路部から後退させる方向に常時付勢する弾性部材が設けられていることを特徴とする請求項１に記載の端子台装置。
【請求項３】
前記移動子に対して前記断路部の方向に進退自在に保持された前記断路部導通部材と、前記移動子と前記断路部導通部材の間に介装されて前記断路部導通部材を前記断路部の方向に常時付勢する付勢手段を備え、前記係止部材による締付開始位置から締付完了位置に至るストロークの途中で前記断路部導通部材が前記断路部を導通するようにしたことを特徴とする請求項２に記載の端子台装置。
【請求項４】
前記移動子によって構成された前記係止部材の締付状態を検出する検出子と、この検出子による検出結果を表示する表示部を備えたことを特徴とする請求項２または請求項３に記載の端子台装置。
【請求項５】
前記表示部は、前記基台の前記端子座部に対応して設けられた前記移動子の所定部が該移動子の移動に応じて見え隠れするようにした表示窓からなることを特徴とする請求項４に記載の端子台装置。
【請求項６】
前記導電部材とは電気的に独立され、前記検出子による前記係止部材の締付完了時に作動するように設けられた検出用スイッチを備えたことを特徴とする請求項４に記載の端子台装置。
【請求項７】
前記基台に対して端子接続部が互いに対向するように複数対設けられ、前記係止部材による配線の端子部の締付完了時に対向された前記端子接続部が相互に導通される端子台装置であって、各検出用スイッチを構成する一対の接点の内、一方の接点とそれぞれ電気的に接続された第１の共通導電部材、及び他方の接点とそれぞれ電気的に接続された第２の共通導電部材を備え、前記第１の共通導電部材及び前記第２の共通導電部材を一対の締付状態検出用端子としたことを特徴とする請求項６に記載の端子台装置。
【発明の詳細な説明】
【技術分野】
【０００１】
この発明は、例えば配電盤や制御盤などの盤における外部配線の接続、分岐又は中継などを行うために使用される端子台装置に関するものである。
【背景技術】
【０００２】
盤内に設置される端子台装置には通常、数多くの電線が接続されるので、接続作業を効率化するための様々な提案が行われている。例えば端子台装置への配線時及び配線後の端子接続部の確認作業の手間を軽減するため、端子台に配線した電線によって隠れない場所で、端子台本体の体積を増やすことなく端子接続部を識別するための表示をすることにより、容易に端子識別番号の識別を可能にするようにしたものがある（例えば特許文献１参照）。
また、締結後のねじの緩みを検出する技術として、端子がねじにより正常に締付けられている場合には、ねじの先端部を対峙隔離した導体に螺着接触して電気的閉回路を形成し、警報回路よりの信号を出力させず、ねじが緩むとねじの先端部と導体間が離れて、警報回路のリレー接点が閉じて警報信号を発するようにしたものがある（例えば特許文献２参照）。
【先行技術文献】
【特許文献】
【０００３】
【特許文献１】特開２０１２−３３３８０号公報（第１頁、図１）
【特許文献２】特開平１−２８９０７５号公報（第１頁、図１）
【発明の概要】
【発明が解決しようとする課題】
【０００４】
例えばプラント電気設備において盤に付属する端子台装置は多数であり、盤の製作・試験時等に端子台装置へ電線を接続するため、頻繁に端子ねじの締め外しが行われる。通電している状態で端子台装置に対して手作業にて結線を行う際、端子ねじが完全に締められるまで電線端子は不安定な状態となっているため、例えば端子部への電線端子の接触、乖離の繰り返しにより、誤ったオン・オフの繰り返される信号を入力してしまい誤動作を引き起こす問題がある。さらに端子台装置の端子ねじは電線接続時や点検時に十分締付られているかを確認する必要があるが、上記のような従来の端子台装置においては目視にて端子ねじの締付状態を確認するのは困難であり、チェック漏れによる配線不良や予期しない誤作動が発生する等の問題があった。
【０００５】
この発明は上記のような端子台装置への電線接続時に生じる問題を解消するためになされたものであり、チェック漏れによる配線不良や予期しない誤作動の発生が抑えられ、電線接続時等の作業効率を向上させることができる端子台装置を提供することを目的としている。
【課題を解決するための手段】
【０００６】
この発明に係る端子台装置は、基台と、この基台に絶縁保持され一端部側に端子座部が形成され、他端部側が所定部に伸びる導電部材と、配線の端子部を前記端子座部に締付けることで該配線との電気的な接続を図る係止部材を備えた端子台装置であって、前記導電部材には前記端子座部と前記他端部側との間に断路部が設けられ、前記基台には前記係止部材の締付け方向への移動に従動されて前記断路部を導通するように支持された接触部材を備えるようにしたものである。
【発明の効果】
【０００７】
本発明の端子台装置によれば、係止部材による配線の端子部の締付が不完全な状態では他端部側への通電が断路部で遮断されていることで、予期しない接触による誤動作等の問題が解消され、配線接続作業の効率化を図ることができる。
【図面の簡単な説明】
【０００８】
【図１】本発明の実施の形態１による端子台装置の要部を示す斜視図である。
【図２】図１に示された端子台装置の要部構造を示す断面図である。
【図３】一般的な端子台装置の外観を示す上面図である。
【図４】図２に示された端子台装置の端子座部に対する配線の端子部の接続が完了した状態を示す断面図である。
【図５】本発明の実施の形態２による端子台装置の要部を示す斜視図である。
【図６】図５に示された端子台装置の要部構造を示す断面図である。
【図７】図６に示された端子台装置の端子座部に対する配線の端子部の接続が完了したときの検出手段の状態を示す断面図である。
【図８】本発明の実施の形態３による端子台装置の要部を示す斜視図である。
【図９】本発明の実施の形態４による端子台装置の要部構造を示す断面図である。
【図１０】本発明の実施の形態５による端子台装置の要部構造を示す構成図である。
【図１１】本発明の実施の形態６による端子台装置の要部構造を示す断面図である。
【図１２】図１１に示された端子ねじがある程度締められ、スイッチが半分程度押し込まれた状態を示す要部断面図である。
【図１３】図１１に示された端子ねじが完全に締められ、スイッチが完全に押し込まれた状態を示す断面図である。
【図１４】図１１に示されたスイッチの要部構造を示す断面図である。
【発明を実施するための形態】
【０００９】
実施の形態１．
図１は本発明の実施の形態１による端子台装置の要部を示す斜視図、図２は図１に示された端子台装置の要部構造を示す断面図、図３は一般的な端子台装置の外観を示す上面図である。図において、実施の形態１の端子台装置１は、絶縁材からなる基台２と、基台２に絶縁保持された導電部材４の一端部側に形成され、配線３の端子部３ａを電気的に接続し固定するねじ穴４１ａが設けられた端子座部４１と、配線３の端子部３ａを端子座部４１に締付け固定するための係止部材としての端子ねじ５と、端子ねじ５の頭部と端子部３ａの間に装着される座金５１と、端子座部４１から所定部に伸びる導電部材４の他端部側４２に設けられた断路部４３と、端子ねじ５による締付けが完了したときに断路部４３を導通させる接触部材６を用いて構成されている。
【００１０】
なお、前記断路部４３と接触部材６からスイッチ６０が構成されている。また、端子台装置１の全体の構成としては、例えば図３に示すように、端子ねじ５を有する端子接続部１ａが図の左右対称的に配設された一般的な端子台装置と略同様であり、特殊な取付方法や作業が必要とはならない。また、便宜上ここでは導電部材４は、図３の左側の端子ねじ５に接続された配線（図示省略）が正対する如く対向する右側の端子接続部１ａに接続される配線（図示省略）に導通されるように設けられている場合について説明するが、導電部材４の他端部側４２の接続先はこれに限定されるものではない。また、断路部４３とスイッチ６０が左右の端子ねじ５に対応してそれぞれ設けられた例について説明するが、これに限定されるものではない。
【００１１】
前記スイッチ６０を構成する接触部材６は、基台２に対して図２の上下方向に移動可能に保持された移動子６１と、移動子６１の下端部に固定され導電部材４に設けられた断路部４３を開閉するための断路部導通部材６２と、移動子６１を断路部４３から遠ざける方向（図２の上方向）へ常時付勢する弾性体としての圧縮ばね６３と、移動子６１の一部によって圧縮ばね６３の中心部を貫くように一体的に形成されたばね保持部６１ｂを用いて構成されている。移動子６１の上端部６１ａは端子座部４１のねじ穴４１ａの近傍に設けられた挿通孔４１ｂから突出されて端子ねじ５に対して係合され、端子ねじ５の締付け方向への移動に従動するように構成されている。
【００１２】
なお、圧縮ばね６３の上端部は移動子６１に係止され、下端部は基台２または導電部材４の図示していないばね係止部に対して係止されている。なお、圧縮ばね６３は同様の作用を示す弾性体でも良く、また引張りばねを用いた構成に変更しても良い。また、移動子６１は、端子座部４１に突出された上端部６１ａが端子ねじ５の頭部に直接または間接的に係合して、その締付け動作によって押し込まれ、締付けが完了したときに断路部導通部材６２が断路部４３を導通させるような寸法関係に構成されており、端子ねじ５を緩めたときは圧縮ばね６３によって上昇され、図１、図２の状態となる。
【００１３】
次に動作について図１〜図４を参照して説明する。なお、図４は図２に示された端子台装置の端子座部に対する配線の端子部の接続が完了した状態を示す断面図である。図２で示すように端子ねじ５が締付けられていない状態では、移動子６１は圧縮ばね６３により端子ねじ５の締付方向とは反対方向へ押し上げられ、端子座部４１には上端部６１ａが図１に示すように突出された状態となっている。断路部導通部材６２も移動子６１と共に押し上げられ、断路部４３から引き離されるため、導電部材４の端子座部４１と他端部側４２間の通電は遮断されている。即ち、対向側に設けられた端子接続部１ａとの通電は遮断される。
【００１４】
端子ねじ５が締付られると、座金５１、または配線３の端子部３ａが突出された上端部６１ａに係合して、移動子６１が端子ねじ５の締付方向と同方向である図の下方向へ押し下げられる。移動子６１の断路部４３方向への移動により断路部導通部材６２も断路部４３側に移動し、端子ねじ５が完全に締められたときに断路部導通部材６２は断路部４３を構成する導電部材４と接触し、断路部導通部材６２を介して端子座部４１と他端部側４２が導通となり、図２の端子部に対して図示されていない端子台装置の反対側にある端子接続部への通電が行われる。上記の構造により端子ねじ５の締付状態に応じて導通、遮断の状態を変化させることができる。
【００１５】
以上のように、実施の形態１の端子台装置によれば、端子ねじ５が完全に締められるまでは端子台装置１の左右で対応する端子接続部間での通電は行われないため、例えば互いに対向する一方の端子接続部に既に配線が接続されており電気が流れている状態で、その反対側の端子接続部に配線を接続する場合に、誤って何れも図示していない配線３の端子部３ａを端子ねじ５に接触させてしまっても通電はされず、誤動作も発生しない。そのため電線接続作業における誤動作の防止や作業効率の向上を図ることができる。
【００１６】
実施の形態２．
図５は本発明の実施の形態２による端子台装置の要部を示す斜視図、図６は図５に示された端子台装置の要部構造を示す断面図、図７は図６に示された端子台装置の端子座部に対する配線の端子部の接続が完了したときの検出手段の状態を示す断面図である。なお、図５は実施の形態１の図１に対応し、図６は同じく図２に対応している。なお、各図を通じて同一または相当部分は同一符号を付して説明は省略し、相違点を中心に説明する。実施の形態２の端子台装置１Ａは、図５に示すように、端子座部４１の周囲３方を囲むように上方に突出された基台２の枠壁部２ａに凹設され、端子ねじ５の締付状態を表示する窓穴状の表示窓によって構成された表示部７１と、端子ねじ５の締付状態を検出する検出子としての移動子６１と一体的に形成され、表示部７１から移動子６１の位置に応じて見え隠れするように構成された締付状態表示部材７２からなる配線３の端子部３ａの締付状態を検出する検出手段７を備えている。
【００１７】
表示部７１と、締付状態表示部材７２は状態を判別し易くするために、例えば境界部分が際立つような組合わせの互いに異なる色で着色される。なお、この実施の形態２では、端子ねじ５の締付状態を作業者に対して的確に視認させるための表示機構となる、斜線で示す領域が着色された締付状態表示部材７２が移動子６１と一体に連動して移動するような構造となっており、端子ねじ５が締められていない状態では、表示部７１の位置に締付状態表示部材７２が見えている状態となる。端子ねじ５が完全に締められると、移動子６１の下降に伴い締付状態表示部材７２も下降して表示部７１の下限位置よりも下がって外部から見えない位置に移動することで、端子ねじ５が完全に締められたかどうかを作業者は容易に判断することができるように構成されている。その他の構成は実施の形態１と同様である。
【００１８】
以上のように、実施の形態２に係る端子台装置によれば、端子ねじ５が完全に締められているか、または完全には締められていないという締付状態を作業者に対してねじ締付状態を表示する表示部７１と、締付状態表示部材７２からなる検出手段７により表示し、作業者は端子ねじ５の締付状態を確認することが容易となり、それと同時に実施の形態１で示した端子ねじ５の締付状態による端子座部４１での導電部材４の導通、遮断の状態も同時に確認できる。
【００１９】
また、この構造により作業時のみならず試験時や点検時などに端子ねじ５の締付状態を容易に確認できるといった効果も得られる。実施の形態２で示した構造は、実施の形態１における構造を大きく変える事無く実現しており、これらの機能は実施の形態２で示したように比較的簡素な構造で実施できるため、従来の端子ねじの締付状態検出が可能な端子台装置よりも低コスト、省資源での機能実現が可能となる。
【００２０】
実施の形態３．
図８は本発明の実施の形態３による端子台装置の要部を示す斜視図であり、実施の形態１の図１に対応する図である。実施の形態３の端子台装置１Ｂは、図８に示すように、実施の形態１と比べ、接触部材６を構成する移動子６１の上端部６１ａを突出させる位置が端子座部４１の奥側から側方部に変更した点が異なっている。その他の構成は実施の形態１と同様である。
【００２１】
上記のように、実施の形態３は移動子６１の上端部６１ａの突出位置の変更例を示すものである。移動子６１の上端部６１ａの突出位置は、要するに、係止部材としての端子ねじ５に直接または間接的に係合して、端子ねじ５の締付け方向への移動によって、図２に示す移動子６１が断路部４３の方向に移動できれば良い。従って、図１、図８に例示した位置に限定されず、例えばねじ孔４１ａの底部に設置し端子ねじ５のねじ先にて端子ねじの締付状態を検出させるなど、ねじの形状や状況に応じて適宜変更しても差し支えない。
【００２２】
実施の形態４．
図９は、この発明の実施の形態４による端子台装置の概要を示す断面図であり、実施の形態１の図２に対応する図である。図において、実施の形態４の端子台装置１Ｃは、導電部材４とは電気的に独立された別回路の検出用スイッチ８１と、検出用スイッチ８１に接続された発光素子やランプ（図示省略）などを用いた表示部としての発光部８２からなる検出手段８を備えている。検出用スイッチ８１は、一対の接点８１ａ、８１ｂと、接点８１ａ及び８１ｂを短絡する接触子８１ｃからなる。接触子８１ｃは実施の形態１と同様の移動子６１に絶縁保持され、接点８１ａ、８１ｂは配線８３ａ、８３ｂによって発光部８２に接続されており、端子ねじ５の締付け完了時に接点８１ａ、８１ｂが閉じられて発光部８２が点灯するように構成されている。その他の構成は実施の形態１と同様であるので説明を省略する。
【００２３】
次に、動作について説明する。端子ねじ５が締付けられると、実施の形態１と同様に移動子６１が押し込められ、断路部４３が閉塞されて端子座部４１と他端部側４２の間が通電される。それに加え、移動子６１に付設された検出用スイッチ８１が移動子６１の動作と連動して、端子ねじ５が完全に締付けられた状態では接点８１ａ、８１ｂが接触子８１ｃによって短絡され、発光部８２のスイッチが入る。発光部８２へのスイッチが入れられることで端子座部４１に対応して設けられたランプが点灯し、その回路の端子ねじの締付状態を作業者に確認させることができる。
【００２４】
上記のように構成された実施の形態４においては、端子ねじ５の締付け完了時に発光部８２における図示していないランプが点灯することにより締付状態を作業者が容易に知ることができる。ランプやＬＥＤなどの発光素子を用いることで、例えば暗所での作業でも締付状態の確認ができるので、より判断し易くすることができる。なお、ランプは単なる連続点灯でも良いが点滅を繰返すようにしても良い。また、ランプ回路に限らず、例えばブザーや音声などで警報する警報回路を併用しても良い。その場合、ランプは各端子毎に装備して、ブザーや音声などの警報手段は例えば１つの端子台装置につき１つすることで構成を簡素化することもできる。
【００２５】
実施の形態５．
図１０は、この発明の実施の形態５による端子台装置の構成を示す平面図である。なお、実施の形態５は図９に示す実施の形態４の構成を利用したものであり、以下、図１０と共に図９も参照して説明する。図１０において、端子台装置１Ｄは、複数の端子接続部１ａが図における左右対称的に設けられ、各端子接続部１ａは図９に示す実施の形態４と同様の検出用スイッチ８１と、その検出用スイッチ８１に接続された発光部８２からなる検出手段８を備えている。そして、各スイッチの一対の接点８１ａ、８１ｂの内、一方の接点８１ａにつながる配線８３ａとそれぞれ電気的に接続された第１の共通導電部材９ａ、及び他方の接点８１ｂにつながる配線８３ｂとそれぞれ電気的に接続された第２の共通導電部材９ｂを備え、これら第１の共通導電部材９ａ、第２の共通導電部材９ｂの端部には締付状態を信号にて出力するための締付状態検出用端子９Ａ、９Ｂが設けられている。その他の構成は実施の形態４と同様である。
【００２６】
上記のように構成された実施の形態５においては、端子接続部１ａの端子ねじ５の締付状態による検出用スイッチ８１の出力が第１及び第２の共通導電部材９ａ、９ｂにより締付状態出検出用端子９Ａ、９Ｂに出力されるので、端子接続部１ａの導電、遮断の状態を検出することができる。即ち、各端子接続部１ａの何れかの検出用スイッチ８１が端子ねじ５を締付られることで接触し、導通となるとそのスイッチを通じて第１及び第２の共通導電部材９ａ、９ｂ間も導通となるので第１及び第２の共通導電部材９ａ、９ｂが直接接続されている締付状態出検出用端子９Ａ、９Ｂも導通となる。一方、全ての端子接続部１ａの検出用スイッチ８１が遮断されると第１及び第２の共通導電部材９ａ、９ｂ間も遮断された状態となるため、締付状態出検出用端子９Ａ、９Ｂも遮断された状態となる。
【００２７】
以上のように、実施の形態５によれば、各端子接続部１ａにおける端子ねじ５の締付状態によって締付状態出検出用端子９Ａ、９Ｂの導通、遮断の状態が変化する。締付状態出検出用端子９Ａ、９Ｂを用いることで、例えば締付状態出検出用端子９Ａ、９Ｂの端子に外部の警報回路や監視装置を接続することで、対象となる端子台装置を直接確認することなく、その端子台装置の端子ねじの締付状態を確認することが可能となり、例えば端子台装置の点検における作業の効率化などが期待できる。
【００２８】
実施の形態６．
図１１は本発明の実施の形態６による端子台装置の要部構造を示す断面図、図１２は図１１に示された端子ねじがある程度締められスイッチが半分程度押し込まれた状態を示す要部断面図、図１３は図１１に示された端子ねじが完全に締められスイッチが完全に押し込まれた状態を示す断面図、図１４は図１１に示されたスイッチの構造を示す断面図である。図において、端子台装置１Ｅは、断路部４３を開閉する断路部導通部材６２Ａが棒状の保持部材６４の図の下端部に固定され、保持部材６４は移動子６１Ａに対して断路部４３の方向に進退可能に支持されている。そして、保持部材６４は付勢手段としての圧縮ばね６５によって断路部４３の方向に常時付勢されている。なお圧縮ばね６５の代わりに同様の効果を示す弾性体の利用も可能である。
【００２９】
図１４に示すように、圧縮ばね６５の一端部（図の下端部）は保持部材６４の所定部に固定されたフランジ部６４ａに係止され、他端部は移動子６１Ａに対して係止されている。保持部材６４の図の下方向への移動範囲はフランジ部６４ａによって規制されている。図１１に示すように、端子ねじ５が緩められて移動子６１Ａが圧縮ばね６３によって上昇した状態では、移動子６１Ａの上端部６１ａが端子座部４１の表面より突出されていると共に、保持部材６４に取付けられた断路部導通部材６２Ａは断路部４３から離れている。端子ねじ５が端子部３ａを締付ける方向に移動される途中で、図１２に示すように断路部導通部材６２Ａが断路部４３に当接され、以後、締付が完了するまでの過程では、圧縮ばね６５が次第に圧縮され、締付完了時点では図１３に示すように、圧縮ばね６５が最も圧縮されて断路部４３に所定の接圧で押し付けられるように構成されている。
【００３０】
なお、図１１〜図１３に示された表示部７１と、移動子６１Ａと一体的に形成されて、表示部７１から移動子６１Ａの位置に応じて見え隠れするように構成された締付状態表示部材７２からなる配線３の端子部３ａの締付状態を検出する実施の形態２と同様の検出手段７は必ずしも具備されていなくても良い。また、前記断路部４３、断路部導通部材６２Ａ、保持部材６４、圧縮ばね６５、移動子６１Ａによってスイッチ６０Ａが構成されている。その他の構成は実施の形態１、２と同様であるので説明を省略する。
【００３１】
次に動作について説明する。端子ねじ５が締められていない状態では図１１に示すようにスイッチ６０Ａの移動子６１Ａは、圧縮ばね６３により端子ねじ５の締付方向とは反対方向へ押し上げられる。それに伴い、移動子６１Ａによって支えられている保持部材６４も同様に押し上げられ、また断路部導通部材６２Ａは導電部材４の断路部４３から引き離される。そのため図１１の状態において導電部材４の端子座部４１から導電部材４の他端部側４２への通電は行われない。
【００３２】
端子ねじ５がある程度まで締付けられると、図１２に示すように、端子ねじ５、座金５１により移動子６１Ａ、移動子６１Ａに保持されている保持部材６４、断路部導通部材６２Ａも端子ねじ５の締付方法と同方向へ押し込まれる。ある程度まで端子ねじ５が締付けられると断路部導通部材６２Ａが断路部４３を導通させて、導電部材４の端子座部４１から導電部材４の他端部側４２への通電が行われる。実施の形態１に比べ、保持部材６４により断路部導通部材６２Ａが断路部４３に近づけられているため、端子ねじ５が完全に締付けられなくとも断路部４３の導通、即ち、図３に示す左右の端子接続部１ａ間の通電が行われる。このとき、配線３の端子部３ａは、図１２に示すように、金属良導体からなる座金５１を介して端子ねじ５の頭部と移動子６１Ａの上端部によって挟まれ、移動子６１Ａは圧縮ばね６３を断路部４３と断路部導通部材６２Ａの初期の間隔相当分だけ圧縮しているので、配線３は導電部材４に対して座金５１と端子ねじ５を介して導通された状態となっている。なお、図１２の状態における通電が行われる端子ねじ５の締付状態の程度は保持部材６４の長さによって決められる。
【００３３】
端子ねじ５が図１２の状態から更に締付けられると、移動子６１Ａは端子ねじ５の締付方向と同方向へ押し下げられる。このとき、保持部材６４、断路部導通部材６２Ａはすでに断路部４３に接触しているが、図１４に示すように移動子６１Ａの内部に設けられた圧縮ばね６５により、保持部材６４、断路部導通部材６２Ａは更に押し込まれることなく移動子６１Ａのみを押し込むことができるため、端子ねじ５を完全に締付けることができる。このため、図１２の状態から更に端子ねじ５が締付けられる過程においても、断路部導通部材６２Ａによる断路部４３の閉成状態は保持され続けるため、導電部材４の端子座部４１から導電部材４の他端部側４２への通電が行われる。要するに、端子ねじ５による締付開始位置から締付完了位置に至るストロークの途中で断路部導通部材６２Ａが断路部４３が導通される。
【００３４】
以上のように構成された実施の形態６においては、端子ねじ５を締付完了状態から緩める場合、端子ねじ５がある程度以上まで緩められた状態になったときに初めて他端部側４２との通電が遮断され、それまでは通電が維持されるといった遮断まで猶予を持たすことが可能となる。更に実施の形態２、実施の形態４で示した端子ねじの締付状態検出の構造に対しても実施の形態６による効果が活用できる。例えば図１２の端子ねじ５がある程度だけ締められているといった通電は行われているが端子ねじ５の締付不足があるという状態においても実施の形態６による端子台装置によれば、図１２の状態表示部１７のように締付不足の状態表示を残しておくことで作業者に状態確認をさせることができる。実施の形態４の端子ねじの締付不足を電気的に表示する場合においても同様である。
【００３５】
また、図１１〜図１２に示すように表示部７１と締付状態表示部材７２からなる検出手段７が付設されていることで、前記のように端子ねじ５が多少緩んだ状態において端子ねじ５の締付け不足が表示されるので、他端部側４２との通電が維持されていても締付け不足を確認できる。
【００３６】
なお、本発明は、その発明の範囲内において、各実施の形態の一部または全部を自由に組み合わせたり、各実施の形態を適宜、変形、省略することが可能である。
【符号の説明】
【００３７】
１、１Ａ、１Ｂ、１Ｃ、１Ｄ、１Ｅ  端子台装置、  １ａ  端子接続部、  ２  基台、  ２ａ  枠壁部、  ３  配線、  ３ａ  端子部、  ４  導電部材、  ４１  端子座部、  ４１ａ  ねじ穴、  ４１ｂ  挿通孔、  ４２  他端部側、  ４３  断路部、  ５  端子ねじ（係止手段）、  ５１  座金、  ６  接触部材、  ６０、６０Ａ  スイッチ、  ６１、６１Ａ  移動子、  ６１ａ  上端部、  ６１ｂ  ばね保持部、  ６２、６２Ａ  断路部導通部材、  ６３  圧縮ばね（弾性部材）、  ６４  保持部材、  ６４ａ  フランジ部、  ６５  圧縮ばね（付勢手段）、  ７  検出手段、  ７１  表示部、  ７２  締付状態表示部材、  ８  検出手段、  ８１  検出用スイッチ、  ８１ａ、８１ｂ  接点、  ８１ｃ  接触子、  ８２  発光部（表示部）、  ８３ａ、８３ｂ  配線、  ９ａ  第１の共通導電部材、  ９ｂ  第２の共通導電部材、  ９Ａ、９Ｂ  締付状態検出用端子。
【図１】
2014157696.tif 000003
【図２】
2014157696.tif 000004
【図３】
2014157696.tif 000005
【図４】
2014157696.tif 000006
【図５】
2014157696.tif 000007
【図６】
2014157696.tif 000008
【図７】
2014157696.tif 000009
【図８】
2014157696.tif 000010
【図９】
2014157696.tif 000011
【図１０】
2014157696.tif 000012
【図１１】
2014157696.tif 000013
【図１２】
2014157696.tif 000014
【図１３】
2014157696.tif 000015
【図１４】
2014157696.tif 000016